(57)【要約】【課題】除菌、消臭効果を奏する気化式除菌消臭剤を提供する。【解決手段】本発明の気化式除菌消臭剤は、プラチナをナノサイズの微小粒子にしたプラチナナノコロイドの成分を含有する複数の粒状物と、当該粒状物を収容する容器とを備えており、上記プラチナナノコロイドのプラチナシールド技術により消臭、除菌を行うことを特徴とする。粒状物には、更に抗菌剤が含有されてもよい。【選択図】  なし【特許請求の範囲】
【請求項１】
プラチナをナノサイズの微小粒子にしたプラチナナノコロイドの成分を含有する複数の粒状物と、当該粒状物を収容する容器とを備え、上記プラチナナノコロイドのプラチナシールドにより消臭、除菌を行うことを特徴とする気化式除菌消臭剤。
【請求項２】
上記粒状物には、更に抗菌剤が含有される
請求項１に記載の気化式除菌消臭剤。
【発明の詳細な説明】
【技術分野】
【０００１】
本発明は、プラチナシールド技術を用いた気化式除菌消臭剤に関する。
【背景技術】
【０００２】
従来、密閉された空間、例えば室内などにおいて、消臭や除菌を行う据置き型の消臭剤については種々の技術が提案されている。
【０００３】
例えば、除菌成分として、オルトフェニルフェノール、メタルクレゾールなどを用いた据置き型の消臭剤が開示されているものがある（特許文献１参照）。
【０００４】
一方、今日では、プラチナ（白金）をナノサイズの微小粒子にした所謂「プラチナナノコロイド」が、消臭、除菌の効果を高めるものとして注目されている。
【先行技術文献】
【特許文献】
【０００５】
【特許文献１】特開２００２−２６３１７８号公報
【発明の概要】
【発明が解決しようとする課題】
【０００６】
しかしながら、プラチナナノコロイドの除菌、消臭効果に着目して、それを利用した気化式除菌消臭剤は実現されていない。
【０００７】
そこで、本発明は、上述した技術的な課題に鑑みてなされたもので、その目的とするところは、除菌、消臭効果を奏するプラチナシールド技術を用いた気化式除菌消臭剤を提供することにある。
【課題を解決するための手段】
【０００８】
上述技術的な課題を解決するために、本発明の一態様に係る気化式除菌消臭剤は、プラチナをナノサイズの微小粒子にしたプラチナナノコロイドの成分を含有する複数の粒状物と、当該粒状物を収容する容器とを備え、上記プラチナナノコロイドのプラチナシールドにより消臭、除菌を行うことを特徴とする。
【発明の効果】
【０００９】
本発明に係る気化式除菌消臭剤によれば、プラチナシールド技術により除菌、消臭効果を奏することができる。
【図面の簡単な説明】
【００１０】
【図１】本発明の実施形態に係る気化式除菌消臭剤による作用が奏された試験対象物の作成過程を説明するための図である。
【図２】本発明の比較例１乃至６を構成する様子を示す図である。
【発明を実施するための形態】
【００１１】
以下、図面を参照しつつ、本発明の一実施形態に係るプラチナシールド技術を用いた気化式除菌消臭剤について詳細に説明する。
【００１２】
本発明の気化式除菌消臭剤は、プラチナをナノサイズの微小粒子にしたプラチナナノコロイドの成分を含有する粒状物により、抗菌、消臭を実現するものである。抗菌剤をさらい配合してもよいことは勿論である。
【００１３】
ここで、「プラチナナノコロイド」とは、白金をナノサイズの微小粒子にした白金粒子が均一に分散した状態のものである。プラチナナノコロイドの白金粒子の平均粒径は、例えば１〜１０ｎｍとなっている。
【００１４】
粒状物をプラチナナノコロイドの水溶液に浸して上記効果を奏する粒状物を生成する場合には、例えば、抗菌処理液として例えば平均粒径が１〜１０ｎｍの白金粒子を含むコロイド溶液を用いてよい。このようなプラチナナノコロイド溶液は、例えば、塩化白金銀イオン（ＰｔＣｌ４２−）とアスコルビン酸などの白金イオンに対して還元能力を有する還元剤を水中で反応させ、白金イオンを還元することで調整できる。
【００１５】
このように、本実施形態は、プラチナをナノサイズの微小粒子にしたプラチナナノコロイドの成分を含有する複数の粒状物を容器に収容した気化式除菌消臭剤を提供するものである。このような構成によれば、プラチナシールド技術による除菌、消臭効果が奏されることになる。ここで、プラチナシールド技術とは、気化による空気、水蒸気などを通じプラチナ粒子の付着作用によりシールド（壁）で包み込み、抗ウイルス・消臭・抗菌などの効果を奏する技術であり、また、水溶液使用でも当該効果を生み出す。
【実施例】
【００１６】
以下、本発明の実施例について説明する。
【００１７】
まず、試験に先立ち、比較例１から６の試験対象物、及び実施例１，２の試験対象物を以下の手順で作成した。
【００１８】
即ち、図１に示されるように、７４０ｍｍ×４４０ｍｍ×５１０ｍｍのプラスチック製ボックスを用意し、その上部（内部天井面）にＡ４サイズの繊維片（綿１００％）を貼り付けた。そして、プラスチック製ボックス内に以下のような比較例１乃至６に係る除菌消臭剤、実施例１，２に係る除菌消臭剤を設置した。なお、ボックスの下部には、通気のため、１０ｍｍ程度の空気出入り口を設けた。
比較例１：据え置きタイプの除菌消臭剤
比較例２：除菌消臭スプレーによりビーズに加工を施したもの
比較例３：ダブル除菌タイプのスプレーによりビーズに加工を施したもの
比較例４：キッチン用除菌アルコールスプレーによりビーズに加工を施したもの
比較例５：スプレー泡タイプの除菌スプレーによりビーズに加工を施したもの
比較例６：消臭ビーズ無香料の据え置きタイプの消臭剤
実施例１：３００ｍｌ  気化式除菌消臭剤  ４８ｈ
実施例２：９００ｍｌ  気化式除菌消臭剤  ４８ｈ
比較例１〜６を構成する様子は、図２に示される通りである。
【００１９】
以上の状態で４８時間経過後、ボックス内部より繊維片を取り出し、取り出してから９６時間（４日）後に、抗菌試験を行った。
【００２０】
比較例１〜６、実施例１，２の抗菌試験の条件は以下の通りである。
［試験項目］
抗菌性試験
［試験方法］
JIS L 1902 : 2008 定量試験（菌液吸収法）  準用
生菌数の測定方法：混釈平板培養法
［試験菌株］
黄色ぶどう球菌  Staphylococcus aureus NBRC 12732
【００２１】
比較例１〜６の試験結果を以下の表１，２に示す。
【００２２】
【表１】
2016039886.tif 000002
【００２３】
【表２】
2016039886.tif 000003
【００２４】
ここで、参考までに殺菌活性値と静菌活性値の算出方法を述べると次のようになる。
殺菌活性値＝Ｍａ−Ｍｃ
静菌活性値＝（Ｍｂ−Ｍａ）−（Ｍｃ−Ｍｏ）
Ｍａ：標準綿布の接触直後
Ｍｂ：標準綿布の２４時間後
Ｍｏ：試験試料の接触直後
Ｍｃ：試験試料の２４時間後
【００２５】
次に実施例１，２の試験結果を以下の表３，４に示す。
【００２６】
【表３】
2016039886.tif 000004
【００２７】
【表４】
2016039886.tif 000005
【００２８】
殺菌活性値と静菌活性値の算出方法は、上記同様である。
【００２９】
以上のとおり、実施例１，２に係る気化式除菌消臭剤は、比較例１乃至６に比して抗菌性において良好な結果を得た。
【００３０】
以上、本発明の実施形態について説明したが、本発明はこれに限定されることなく、その主旨を逸脱しない範囲で種々の改良・変更が可能であることは勿論である。例えば、粒状物には、プラチナナノコロイドに加えて、各種芳香成分を加えてもよいことは勿論である。このような場合には、気化式除菌消臭芳香剤として機能する。
【図１】
2016039886.tif 000006
【図２】
2016039886.tif 000007